(57)【要約】【課題】  スタッド状の固定部材を用いて拡散板が流動しないように固定し、固定部材に反射部を備えることで拡散板に暗部が生じることを防止して、最上の画質を具現できる拡散板の固定装置及びディスプレイ装置を提供する。【解決手段】  ディスプレイ装置は、映像を表示する液晶表示パネルと、前記液晶表示パネルに光を放出するバックライトユニットとを含み、前記バックライトユニットは、多数の光源が収納される収納空間が形成されたボトムシャーシと、前記ボトムシャーシ上に備えられるミドルモールドと、前記ミドルモールド上に備えられる拡散板と、前記ボトムシャーシの外側面に備えられ、前記拡散板の一側と接触するように備えられて、前記拡散板の流動を防止する固定部材とを含む。【選択図】      図３
2014153717.tif 000002
【特許請求の範囲】
【請求項１】
映像を表示する液晶表示パネルと、
前記液晶表示パネルの下部に配置されて、前記液晶表示パネルに光を放出するバックライトユニットとを含み、
前記バックライトユニットは、
多数の光源が収納される収納空間を含むボトムシャーシと、
前記ボトムシャーシに載置されるミドルモールドと、
前記ミドルモールドに載置される拡散板と、
前記ボトムシャーシの外側面に備えられ、一側が前記拡散板の一側と接触するように備えられて、前記拡散板の流動を防止する固定部材とを含む、ディスプレイ装置。
【請求項２】
前記固定部材は、前記拡散板の一側と接触する傾斜部を含む、請求項１に記載のディスプレイ装置。
【請求項３】
前記傾斜部は、前記拡散板に暗部が発生することを防止する反射部を含む、請求項２に記載のディスプレイ装置。
【請求項４】
前記反射部は、前記傾斜部に付着された反射テープを含む、請求項３に記載のディスプレイ装置。
【請求項５】
前記反射部は、前記傾斜部にコーティングされた光反射率の高い材料を含む、請求項３に記載のディスプレイ装置。
【請求項６】
前記拡散板の一側は、前記固定部材の傾斜部に対応する傾斜部分を含む、請求項２に記載のディスプレイ装置。
【請求項７】
前記固定部材は、ボディー、及び前記ボディーから延びる延長部を含む、請求項２に記載のディスプレイ装置。
【請求項８】
前記延長部の上部面に傾斜部が備えられて、前記拡散板の一側と接触するように配置される、請求項７に記載のディスプレイ装置。
【請求項９】
前記ボディーは、前記ボトムシャーシの外側面と接触するように備えられ、前記ボディー、前記ミドルモールド、及び前記ボトムシャーシを貫通する締結部材によって、前記固定部材が前記ボトムシャーシの外側面に固定される、請求項７に記載のディスプレイ装置。
【請求項１０】
前記ボトムシャーシの側部には第１ホールが形成され、前記ミドルモールドには前記ボトムシャーシに形成された第１ホールに対応する第２ホールが形成され、前記固定部材のボディーには第３ホールが形成されて、前記ボトムシャーシ及び前記ミドルモールドに形成されたホールと連通するように備えられ、前記締結部材は、前記ボトムシャーシに形成されたホール、前記ミドルモールドに形成されたホール及び前記ボディーに形成されたホールを貫通する、請求項９に記載のディスプレイ装置。
【請求項１１】
前記ミドルモールドは、
前記ボトムシャーシの底面に載置される第１モールドと、
前記第１モールドから延びて、前記ボトムシャーシの側部の内側面と接触する第２モールドと、
前記第２モールドから延びて、前記拡散板が載置される第３モールドとを含む、請求項２に記載のディスプレイ装置。
【請求項１２】
前記第３モールドは、前記ボトムシャーシの底面と平行な方向に延びる、請求項１１に記載のディスプレイ装置。
【請求項１３】
前記ボトムシャーシの側部には多数の第１ホールが形成され、前記第２モールドには前記多数の第１ホールに対応する多数の第２ホールが形成される、請求項１１に記載のディスプレイ装置。
【請求項１４】
前記ボトムシャーシに形成された多数の第１ホールのうち一つ、及び前記第２モールドに形成された多数の第２ホールのうち一つに対応する位置に前記固定部材が装着される、請求項１３に記載のディスプレイ装置。
【請求項１５】
前記傾斜部が形成された前記固定部材の一側は、前記第３モールドに載置される、請求項１４に記載のディスプレイ装置。
【発明の詳細な説明】
【技術分野】
【０００１】
実施例は、拡散板が流動しないようにバックライトユニットに固定され、拡散板のホールによって暗部が発生することを防止することができる拡散板の固定装置及びそれを用いたディスプレイ装置に関する。
【背景技術】
【０００２】
ディスプレイ装置は、文字や図形などのデータ情報を視覚的に表示する装置のことをいう。最近のディスプレイ装置は、液晶表示装置、及び液晶表示装置が装着されるフレームを含む。液晶表示装置は、液晶の特定の分子配列に電圧を印加して他の分子配列に変換させ、このような分子配列によって発光する液晶セルの複屈折性、旋光性、二色性及び光散乱性などの光学的性質の変化を視覚的な変化に変換するものであって、液晶セルによる光の変調を用いて情報を表示する受光型ディスプレイ装置である。
【０００３】
液晶表示装置は、より鮮明な画像を表示するために、バックライトユニットに多数の光源を使用し、光源から出射された光を均一に拡散させるために拡散板を使用する。また、拡散板上の光の輝度を向上させるために、プリズムシートなどの多数の光学シートを設置することができる。
【０００４】
拡散板は、光を任意の方向に散乱させる役割を果たす。拡散板は、光がよく散乱できるように不透明に製造することができる。従来の拡散板は、拡散板上にホールを必要とするスクリューなどのような固定部材を用いて、バックライトアセンブリのフレームに固定することができた。
【発明の概要】
【発明が解決しようとする課題】
【０００５】
一実施例によれば、スタッド状の固定部材を用いて拡散板が流動しないように固定し、固定部材に反射部を備えることで拡散板に暗部が生じることを防止して、最上の画質を具現できる拡散板の固定装置及びディスプレイ装置を提供することができる。
【課題を解決するための手段】
【０００６】
一実施例に係るディスプレイ装置は、映像を表示する液晶表示パネルと；前記液晶表示パネルの下部に配置されて、前記液晶表示パネルに光を供給するバックライトユニットと；を含み、前記バックライトユニットは、多数の光源が収納される収納空間を含むボトムシャーシと；前記ボトムシャーシ上に備えられるミドルモールドと；前記ミドルモールド上に備えられる拡散板と；前記ボトムシャーシの外側面に備えられ、前記拡散板の一側と接触するように備えられて、前記拡散板の流動を防止する固定部材と；を含む。
【０００７】
前記固定部材は、前記拡散板の一側と接触する傾斜部を含むことができる。
【０００８】
前記傾斜部は、前記拡散板に暗部が発生することを防止する反射部材を含むことができる。
【０００９】
前記反射部材は、前記傾斜部に付着された反射テープを含むことができる。
【００１０】
前記反射部材は、前記傾斜部にコーティングされた高光反射率のコーティング材を含むことができる。
【００１１】
前記拡散板の一側は、前記固定部材の傾斜部に対応する傾斜部分を含むことができる。
【００１２】
前記固定部材は、ボディー、及び前記ボディーから延びる延長部を含むことができる。
【００１３】
前記延長部の上部面に傾斜部が備えられて、前記拡散板の一側と接触することができる。
【００１４】
前記ボディーは、前記ボトムシャーシの外側面と接触するように構成され、前記ディスプレイ装置は、ボトムシャーシの外側面に固定部材を固定する締結部材をさらに含むことができ、前記締結部材は、前記ボディー、前記ミドルモールド及び前記ボトムシャーシを貫通するように構成することができる。
【００１５】
前記ボトムシャーシの側部はボトムシャーシホールを含むことができ、前記ミドルモールドは、前記ボトムシャーシホールに対応するミドルモールドホールを含むことができ、前記固定部材のボディーは、前記ボトムシャーシホール及び前記ミドルモールドホールと並んでいる固定部材ホールを含むことができ、前記締結部材は、前記ボトムシャーシホール、前記ミドルモールドホール及び前記固定部材ホールを貫通するように構成される。
【００１６】
前記ミドルモールドは、前記ボトムシャーシの底面に備えられた第１モールド部と；前記第１モールド部から延びて、前記ボトムシャーシの側部の内側面と接触する第２モールド部と；前記第２モールド部から延びる第３モールド部と；を含むことができる。
【００１７】
前記第３モールド部は、前記ボトムシャーシの底面と平行な方向に延びることができる。
【００１８】
前記ボトムシャーシの側部は、多数の第１ホールを含むことができ、前記第２モールド部は、前記多数の第１ホールに対応する多数の第２ホールを含むことができる。
【００１９】
固定部材の固定部材ホールは、前記ボトムシャーシの多数の第１ホールのうち一つ、及び前記第２モールド部の多数の第２ホールのうち一つに対応する位置に備えることができる。
【００２０】
前記傾斜部が形成された前記固定部材の延長部は、前記第３モールド部に載置され得る。
【００２１】
一実施例に係る拡散板の固定装置は、多数の光源を収容するボトムシャーシに装着されるボディーと；前記ボディーから延びる延長部と；を含み、前記延長部の一側は、前記ボトムシャーシの上部に備えられた拡散板の一側と接触する傾斜部を含み、前記固定装置は、前記ボトムシャーシに拡散板を固定し、拡散板が流動しないように防止することができる。
【００２２】
前記傾斜部には、光反射率の高い材質からなる反射部材が設けられて、拡散板に暗部が発生することを防止することができる。
【００２３】
前記延長部は、白色の延長部を含むことができる。
【００２４】
前記拡散板の一側は、前記延長部の傾斜部に対応する傾斜部分を含むことができる。
【００２５】
前記固定装置は、締結部材をさらに含むことができ、前記締結部材は、前記拡散板の底面と平行な面を備えるミドルモールドを貫通して前記ボトムシャーシに固定されるように構成される。
【００２６】
更に他の実施例に係るディスプレイ装置のバックライトユニットは、多数の光源と；前記多数の光源が収納されるボトムシャーシと；前記ボトムシャーシ上に備えられるミドルモールドと；前記ミドルモールド上に備えられる拡散板と；前記ボトムシャーシの外側面に備えられ、前記拡散板の一側と接触するように備えられて、前記拡散板の流動を防止する固定部材と；を含む。
【発明の効果】
【００２７】
一実施例によれば、拡散板が固定部材によってバックライトユニットに固定されることによって、拡散板の流動を防止することができる。また、固定部材に反射面を備えて、拡散板に暗部が生じることを防止することによって、最上の画質が具現されたディスプレイ装置を提供することができる。
【図面の簡単な説明】
【００２８】
【図１Ａ】一実施例に係るディスプレイ装置を示す斜視図である。
【図１Ｂ】図１Ａに示されたディスプレイ装置の概略断面図である。
【図２】一実施例に係るバックライトユニットの分解図である。
【図３】一実施例に係るバックライトユニットに固定部材が装着された姿を示す図である。
【図４】一実施例に係る固定部材を示す斜視図である。
【図５】一実施例に係る拡散板の一部が切断され、固定部材がバックライトユニットに装着された姿を示す図である。
【図６】一実施例に係る固定部材がバックライトユニットに装着された姿を示す図である。
【図７】一実施例に係る固定部材がバックライトユニットに装着された姿を示す図である。
【発明を実施するための形態】
【００２９】
以下では、一実施例に係る拡散板の固定装置及びそれを備えるディスプレイ装置について、図面を参照して詳細に説明する。
【００３０】
図１Ａは、一実施例に係るディスプレイ装置１を示す斜視図である。図１Ｂは、図１Ａに示されたディスプレイ装置１の概略断面図である。
【００３１】
図１Ａ及び図１Ｂを参照すると、一実施例に係るディスプレイ装置１は、液晶表示装置１０及びフレーム２０を含む。液晶表示装置１０はフレーム２０に装着される。液晶表示装置１０は、ＬＣＤ（Ｌｉｑｕｉｄ  Ｃｒｙｓｔａｌ  Ｄｉｓｐｌａｙ）などのように映像が表示される装置である。
【００３２】
液晶表示装置１０は、液晶表示パネル１５及びバックライトユニット３０を含む。液晶表示パネル１５は、自発光できない非発光性素子であり、バックライトユニット３０から光の供給を受けて映像を表示することができる。
【００３３】
液晶表示パネル１５は、ＴＦＴ基板とカラーフィルター基板との間に液晶層を注入して形成することができる。液晶表示パネル１５の上下部には偏光フィルムを形成することができる。
【００３４】
バックライトユニット３０は、発光部、導光板、光学シート類及び反射シートを含むことができる。発光部は、ＬＥＤまたはＣＣＦＬなどからなり、発生する光を導光板に出光することができる。導光板は、発光部から発生する光を受けて、バックライトユニット３０の発光領域全体に均一に分散させる。光学シート類は、導光板上に付着され、レンズシート、拡散シート、保護シートなどを選択的に含むことができる。導光板の下部には反射シートが付着されて、導光板の後側方向に漏れる光を液晶表示パネル１５の方向に再反射させることができる。
【００３５】
フレーム２０は、液晶表示パネル１５及びバックライトユニット３０のうち少なくともいずれか一つを収納及び固定させることができる。フレーム２０は、４個の側壁を含む四角フレーム形状を有することができる。側壁の内周面には少なくとも一つ以上の収納溝が形成されて、液晶表示パネル１５及びバックライトユニット３０の側面部分を挿入することができる。これによって、フレーム２０と液晶表示パネル１５またはバックライトユニット３０とを相互結合することができる。
【００３６】
フレーム２０は、シリコンまたは合成樹脂を含む素材を射出成形させて製造することができる。フレーム２０は、白色、黒色などの様々な色で形成したり、または透明に形成することができる。フレーム２０は、それ自体が弾性を持つように製造されて、液晶表示パネル１５及びバックライトユニット３０がフレーム２０に収納固定されたとき、外部の衝撃が加わると、フレーム２０の弾性によって衝撃が吸収されるので、液晶表示パネル１５及びバックライトユニット３０を保護することができる。
【００３７】
図２は、一実施例に係るバックライトユニット３０の分解図であり、図３は、一実施例に係るバックライトユニットに固定部材４０が装着された姿を示す図である。
【００３８】
図２及び図３を参照すると、一実施例に係るバックライトユニット３０は、ボトムシャーシ３１、ミドルモールド３２、拡散板３３及び多数の光源（図示せず）を含む。多数の光源は、多数の発光ダイオード（Ｌｉｇｈｔ  Ｅｍｉｔｔｉｎｇ  Ｄｉｏｄｅ：ＬＥＤ）であってもよい。
【００３９】
ボトムシャーシ３１は、底面３１０及び側部３１１を含む。側部３１１は、底面３１０から傾斜して延びて収納空間３１２を形成することができる。ボトムシャーシ３１は、強度に優れ、変形の少ない金属で製造することができる。ボトムシャーシ３１の収納空間３１２には多数の光源（即ち、ＬＥＤ）を収容することができる。ボトムシャーシ３１の側部３１１には多数のホール３１３を形成することができる。
【００４０】
ボトムシャーシ３１にはミドルモールド３２を載置することができる。ミドルモールド３２は、第１モールド部３２０、第２モールド部３２１及び第３モールド部３２３を含む。第１モールド部３２０は、ボトムシャーシ３１の底面３１０に載置される。第２モールド部３２１は、第１モールド部３２０から傾斜して延びて、ボトムシャーシ３１の側部３１１の内側面と接触する。第３モールド部３２３は第２モールド部３２１から傾斜して延び、拡散板３３が第３モールド部３２３の上面に載置される。第３モールド部３２３は、ボトムシャーシ３１の底面３１０と平行な方向に延びるように備えることができる。
【００４１】
第２モールド部３２１には、ボトムシャーシ３１の側部３１１に形成された多数のホール３１３に対応するホール３２４を形成することができる。ボトムシャーシ３１の側部３１１に形成されたホール３１３、ミドルモールド３２の第２モールド部３２１に形成された前記対応するホール３２４及び後述する固定部材４０を全て貫通する締結部材５０（図６参照）によって、固定部材４０がボトムシャーシ３１及びミドルモールド３２に結合され得る。
【００４２】
ミドルモールド３２の第３モールド部３２３には拡散板３３を載置することができる。拡散板３３は、固定部材４０によってボトムシャーシ３１及びミドルモールド３２に装着され得る。
【００４３】
拡散板３３には多数の光学シート及び液晶表示パネル１５を載置することができる。光源から発光される光は、拡散板３３によって均一に拡散され、多数の光学シートによって輝度が向上することができる。液晶表示パネル１５は、拡散板３３及び多数の光学シートを通過した光の供給を受けて映像を表示することができる。
【００４４】
一方、光源としては、ＬＥＤ（Ｌｉｇｈｔ  Ｅｍｉｔｔｉｎｇ  Ｄｉｏｄｅ：発光ダイオード）だけでなく、ＣＣＦＬ（Ｃｏｌｄ  Ｃａｔｈｏｄｅ  Ｆｌｕｏｒｅｓｃｅｎｔ  Ｌａｍｐ：冷陰極蛍光ランプ）、ＥＥＦＬ（Ｅｃｔｅｒｎａｌ  Ｅｌｅｃｔｒｏｄｅ  Ｆｌｕｏｒｅｓｃｅｎｔ  Ｌａｍｐ：外部電極蛍光ランプ）などのようなランプが使用されてもよい。光源の種類は、上記記載に限定されない。
【００４５】
図４は、一実施例に係る固定部材４０を示す斜視図である。図４を参照すると、一実施例に係る固定部材４０はボディー４１及び延長部４２を含む。延長部４２は、ボディー４１の一端部から傾斜して延びる。
【００４６】
ボディー４１は、ボトムシャーシ３１の側部３１１の外側面と接触することができる。ボディー４１にはホール４３を形成することができる。ボディー４１に形成されたホール４３は、ボトムシャーシ３１に形成されたホール３１３及びミドルモールド３２に形成されたホール３２４と並ぶように配置することができる。固定部材４０のボディー４１に形成されたホール４３、ミドルモールド３２のホール３２４及びボトムシャーシ３１に形成されたホール３１３を貫通する締結部材５０（図６参照）によって、固定部材４０をバックライトユニット３０に結合することができる。
【００４７】
延長部４２は、ボディー４１から折れ曲がって延びることによって形成され得る。延長部４２の底面４２１は、ミドルモールド３２の第３モールド部３２３に載置することができる。延長部４２の上部面は傾斜するように形成される。延長部４２の傾斜した上部面は傾斜部４２０と呼ぶことができる。傾斜部４２０は、拡散板３３の一側と接触されて、拡散板３３が固定されて流動しないように圧密することができる。
【００４８】
図５は、一実施例に係る拡散板３３の一部が切断され、固定部材４０がバックライトユニット３０に装着された姿を示す図であり、図６及び図７は、一実施例に係る固定部材４０がバックライトユニット３０に装着された姿を示す図である。
【００４９】
図５乃至図７を参照すると、一実施例に係るミドルモールド３２は、ボトムシャーシ３１の底面３１０に載置され、固定部材４０は、ボトムシャーシ３１の側部３１１の外側面と接触するように備えることができる。このとき、固定部材４０に形成されたホール４３、ボトムシャーシ３１に形成されたホール３１３及びミドルモールド３２に形成されたホール３２４は互いに並ぶように配置することができる。前記固定部材４０に形成されたホール４３、ボトムシャーシ３１に形成されたホール３１３及びミドルモールド３２に形成されたホール３２４を全て貫通する締結部材５０によって、固定部材４０、ボトムシャーシ３１及びミドルモールド３２を結合することができる。
【００５０】
ミドルモールド３２の第３モールド部３２３には拡散板３３を載置することができる。拡散板３３の一側は傾斜するように形成することができる。これを、拡散板３３の傾斜部３３０と呼ぶことができる。拡散板３３の傾斜部３３０は、固定部材４０の傾斜部４２０と接触することができる。拡散板３３の傾斜部３３０と固定部材４０の傾斜部４２０とが接触して圧密されることによって、拡散板３３の流動を防止することができる。
【００５１】
固定部材４０の傾斜部４２０には反射部材６０を備えることができる。反射部材６０は、固定部材４０の傾斜部４２０上に反射テープを付着したり、または反射率の高い材質でコーティングすることによって形成することができる。一例として、固定部材４０の傾斜部４２０には、白色の染料を含むテープが付着されたり、または白色の染料を含むコーティング材質でコーティングされてもよい。固定部材４０が白色であってもよい。固定部材４０の延長部４２のみが白色であってもよい。反射部材６０は、固定部材４０の傾斜部４２０の代わりに、拡散板３３の傾斜部３３０に備えられることも可能である。
【００５２】
上記のように、固定部材４０の傾斜部４２０に反射部材６０が形成されることによって、拡散板３３に暗部が発生することを防止することができる。拡散板３３に傾斜部３３０を形成するために一側が傾斜するように加工され、拡散板３３の傾斜部３３０側は、固定部材４０によって遮られて暗部が発生し得る。
【００５３】
実施例の場合、固定部材４０に反射部材６０が備えられることによって、固定部材４０の上面に位置した拡散板３３で拡散される光を補償することができる。
【００５４】
従来の場合、拡散板が、拡散板上にホールを必要とするスクリューなどのような固定装置によって固定されて、拡散板の流動を防止することはできたが、固定装置が位置した部分に対応する拡散板の特定部分には光が十分に供給されないため、周辺領域よりも暗い部分である暗部が発生した。
【００５５】
実施例の場合には、固定部材４０を反射率の高い反射色にしたり、または拡散板３３の傾斜部３３０に対応する固定部材４０の傾斜部４２０に反射部材６０を備えることによって、拡散板３３の傾斜部３３０に対応する部分を通過する光を補償できるようにした。
【００５６】
これによって、拡散板３３が固定部材４０によって流動しないように固定されることができ、固定部材４０の周辺に暗部が発生しないようにして、液晶表示装置全体において均一な画質を具現することができる。これによって、高品質の画質が具現されたディスプレイ装置を提供することができる。
【００５７】
上記のように、一実施例によれば、固定部材４０によって拡散板３３の流動を防止することができ、固定部材４０に反射部材６０を備えることによって拡散板３３の流動を防止することができる。したがって、固定部材４０を拡散板３３の固定装置と呼ぶことができる。また、固定部材４０に反射部材６０が形成され、拡散板３３に傾斜部３３０が設けられることによって、拡散板３３の全体面において暗部が発生することを防止することができる。
【符号の説明】
【００５８】
１      ディスプレイ装置
１０    液晶表示装置
２０    フレーム
３０    バックライトユニット
３１    ボトムシャーシ
３２    ミドルモールド
３３    拡散板
４０    固定部材
４１    ボディー
４２    延長部
【図１Ａ】
2014153717.tif 000003
【図１Ｂ】
2014153717.tif 000004
【図２】
2014153717.tif 000005
【図３】
2014153717.tif 000006
【図４】
2014153717.tif 000007
【図５】
2014153717.tif 000008
【図６】
2014153717.tif 000009
【図７】
2014153717.tif 000010